(57)【特許請求の範囲】
【請求項１】
顎模型を磁力により固定保持するようにした歯科咬合器において、
前記歯科咬合器には、顎模型を支持する顎支持体と、前記顎模型を前記磁力に抗して前記顎支持体から離脱させるための離脱手段を設けており、
前記離脱手段は、前記顎支持体に形成された孔あるいは溝と、該孔あるいは該溝にスライド可能に挿嵌される可動部とを備えており、
前記可動部を可動させることにより、前記顎模型を前記顎支持体から離脱させるように構成されていることを特徴とする歯科咬合器。
【請求項２】
請求項１において、
前記離脱手段の前記孔は、前記顎支持体に厚さ方向に貫通した貫通孔で構成され、かつ前記可動部は該貫通孔にスライド可能に挿嵌される離脱ピンで構成されており、該離脱ピンを推し下げることにより、前記顎模型を前記顎支持体から離脱させるように構成されていることを特徴とする歯科咬合器。
【請求項３】
請求項１において、
前記離脱手段の前記孔は、前記顎支持体に厚さ方向に貫通した貫通孔で構成され、かつ前記可動部は該貫通孔にスライド可能に挿嵌される離脱ピンで構成されており、前記離脱手段は、前記顎支持体に設けられた支点に付設されると共に該離脱ピンに係合されたテコを更に備えており、前記テコを推し下げることにより、前記顎模型を前記顎支持体から離脱させるように構成されていることを特徴とする歯科咬合器。
【請求項４】
請求項１において、
前記離脱手段の溝は、前記顎支持体の幅方向に形成されたスライド溝で構成され、かつ前記可動部は該スライド溝にスライド可能に挿嵌され、平坦部及び勾配部を有するスライド体で構成されており、前記スライド体をスライドさせることにより、前記顎模型を前記顎支持体から離脱させるように構成されていることを特徴とする歯科咬合器。
【請求項５】
請求項１から４のいずれかに記載の歯科咬合器において、
前記歯科咬合器には前記磁力を発生させる磁石が設置され、前記顎模型には前記磁力により吸着される吸着体が設置されており、
前記離脱手段は、前記顎模型に設置された吸着体、前記歯科咬合器に設置された磁石のいずれか一方を他方から遠ざけることにより、前記顎模型を前記歯科咬合器から離脱させるように構成されていることを特徴とする歯科咬合器。
【請求項６】
請求項１から４のいずれかに記載の歯科咬合器において、
前記顎模型には前記磁力を発生させる磁石が設置され、前記歯科咬合器には前記磁力により吸着される吸着体が設置されており、
前記離脱手段は、前記顎模型に設置された磁石、前記歯科咬合器に設置された吸着体のいずれか一方を他方から遠ざけることにより、前記顎模型を前記歯科咬合器から離脱させるように構成されていることを特徴とする歯科咬合器。
【請求項７】
請求項１から６のいずれかに記載の歯科咬合器を用いたことを特徴とする歯科頭部模型。
【請求項８】
請求項１から６のいずれかに記載の歯科咬合器を用いたことを特徴とする歯科実習台。
【発明の詳細な説明】
【０００１】
【発明の属する技術分野】
本発明は、歯科において、義歯の咬合調整、咬合矯正などに用いられる咬合器であって、顎模型の固定保持に磁力を用いるようにした歯科咬合器、これを用いた歯科頭部模型、歯科実習台に関する。
【０００２】
【従来の技術】
歯科咬合器においては、義歯の咬合調整、咬合矯正を行う場合、顎模型を患者などに合わせて交換する必要があり、顎模型は、歯科咬合器に対して着脱交換可能となっている。
【０００３】
この場合、顎模型を歯科咬合器に着脱交換可能に固定する方法としては、図１１に示すような歯科咬合器で用いられている方法があった。
【０００４】
この歯科咬合器１０１は、上顎支持体１０１ａと下顎支持体１０１ｂとをヒンジ（不図示）で連結し、上顎支持体１０１ａと下顎支持体１０１ｂとが相互にヒンジ（不図示）を中心として回動して人体の顎の開閉運動を近似的に再現できるようになっている。
【０００５】
この上顎支持体１０１ａには上顎模型１０３ａが、下顎支持体１０１ｂには下顎模型１０３ｂを図示するように嵌め込んで位置決めされ、それぞれ顎模型１０３ａ、１０３ｂは、埋め込まれた雌ネジ１０４を、支持体１０１ａ、１０１ｂに回動可能で脱落しないように設置された固定雄ネジ１０５でネジ止めすることで、それぞれの支持体１０１ａ、１０１ｂに固定保持されている。
【０００６】
このような構造で、この歯科咬合器１０１では、顎模型１０３ａ、１０３ｂを患者に合わせて着脱交換して、義歯の咬合調整、咬合矯正などを行うことができた。
【０００７】
また、このような雌ネジ１０４と固定雄ネジ１０５で構成されるようなネジ固定手段ではなく、磁石とこの磁石に吸着される吸着体を、歯科咬合器の支持体と顎模型にそれぞれ取り付けておき、磁力によって、顎模型を支持体に着脱交換可能に固定保持するような歯科咬合器も提案されていた。
【０００８】
【発明が解決しようとする課題】
しかしながら、図１１の歯科咬合器１０１では、顎模型１０３ａ、１０３ｂを固定保持するのに、雌ネジ１０４と固定雄ネジ１０５で構成されるようなネジ固定手段を用いていたため、着脱に一定の時間とネジ操作の手間を要し、改善が求められていた。
【０００９】
一方、磁力によって顎模型を支持体に着脱交換可能に固定保持するような歯科咬合器では、顎模型を支持体から離脱させるためには、固定保持の磁力に抗するかなりの力を要し、ドライバーなどを両者の隙間に入れてこじ開けるといった手数を要し、迅速な顎模型の交換ができず、改善が望まれていた。
【００１０】
本願発明は、このような問題を解決しようとするもので、磁力を用いながら、特に工具を必要とすることなく、簡単かつ迅速に顎模型の着脱交換ができる歯科咬合器、これを用いた歯科頭部模型、歯科実習台を提供することを目的とする。
【００１１】
【課題を解決するための手段】
請求項１に記載の歯科咬合器は、顎模型を磁力により固定保持するようにした歯科咬合器において、前記歯科咬合器には、顎模型を支持する顎支持体と、前記顎模型を前記磁力に抗して前記顎支持体から離脱させるための離脱手段を設けており、前記離脱手段は、前記顎支持体に形成された孔あるいは溝と、該孔あるいは該溝にスライド可能に挿嵌される可動部とを備えており、前記可動部を可動させることにより、前記顎模型を前記顎支持体から離脱させるように構成されていることを特徴とする。
【００１２】
また、請求項２に記載の歯科咬合器は、請求項１において、前記離脱手段の前記孔は、前記顎支持体に厚さ方向に貫通した貫通孔で構成され、かつ前記可動部は該貫通孔にスライド可能に挿嵌される離脱ピンで構成されており、該離脱ピンを推し下げることにより、前記顎模型を前記顎支持体から離脱させるように構成されていることを特徴とする。
【００１３】
また、請求項３に記載の歯科咬合器は、請求項１において、前記離脱手段の前記孔は、前記顎支持体に厚さ方向に貫通した貫通孔で構成され、かつ前記可動部は該貫通孔にスライド可能に挿嵌される離脱ピンで構成されており、前記離脱手段は、前記顎支持体に設けられた支点に付設されると共に該離脱ピンに係合されたテコを更に備えており、前記テコを推し下げることにより、前記顎模型を前記顎支持体から離脱させるように構成されていることを特徴とする。
【００１４】
また、請求項４に記載の歯科咬合器は、請求項１において、前記離脱手段の溝は、前記顎支持体の幅方向に形成されたスライド溝で構成され、かつ前記可動部は該スライド溝にスライド可能に挿嵌され、平坦部及び勾配部を有するスライド体で構成されており、前記スライド体をスライドさせることにより、前記顎模型を前記顎支持体から離脱させるように構成されていることを特徴とする。
これらの歯科咬合器は、磁力で固定保持された顎模型を咬合器から離脱させる離脱手段を設けているので、別個に工具を必要とせず、簡単かつ迅速に顎模型の着脱交換ができる。
【００１５】
請求項５に記載の歯科咬合器は、請求項１から４のいずれかに記載の歯科咬合器において、前記歯科咬合器には前記磁力を発生させる磁石が設置され、前記顎模型には前記磁力により吸着される吸着体が設置されており、前記離脱手段は、前記顎模型に設置された吸着体、前記歯科咬合器に設置された磁石のいずれか一方を他方から遠ざけることにより、前記顎模型を前記歯科咬合器から離脱させるように構成されていることを特徴とする。
【００１６】
請求項６に記載の歯科咬合器は、請求項１から４のいずれかに記載の歯科咬合器において、前記顎模型には前記磁力を発生させる磁石が設置され、前記歯科咬合器には前記磁力により吸着される吸着体が設置されており、前記離脱手段は、前記顎模型に設置された磁石、前記歯科咬合器に設置された吸着体のいずれか一方を他方から遠ざけることにより、前記顎模型を前記歯科咬合器から離脱させるように構成されていることを特徴とする。
【００１７】
これら請求項５及び６に記載の歯科咬合器は、離脱手段が歯科咬合器に設けられている点では同じであるが、その離脱手段内容を、磁石とこの磁石に吸着される吸着体とが顎模型、咬合器のいずれに装着されているかの咬合器と顎模型の態様に合わせ、磁石あるいは吸着体のいずれか一方を動かし、他方を移動させないで、両者を遠ざけることにより、磁力を弱め、これによって、顎模型と歯科咬合器を離脱させるようにしている点で相互に異なっている。しかしながら、効果としてはいずれも請求項１から４と同様に、別個に工具を必要とせず、簡単かつ迅速に顎模型の着脱交換ができる点では共通している。
【００１８】
請求項７に記載の歯科頭部模型は、請求項１から６のいずれかに記載の歯科咬合器を用いたので、これらの歯科咬合器の効果を歯科頭部模型として発揮する。
【００１９】
請求項８に記載の歯科実習台は、請求項１から６のいずれかに記載の歯科咬合器を用いたので、これらの歯科咬合器の効果を歯科実習台として発揮する。
【００２０】
【発明の実施の形態】
本発明の歯科咬合器、これを用いた歯科頭部模型、歯科実習台の実施の形態について、添付図面を参照しながら、説明する。
【００２１】
図１（ａ）は本発明の歯科咬合器の一例を示す要部横断図、（ｂ）は外観図である。この図１（ａ）の要部横断図は、図１（ｂ）の歯科咬合器１の離脱手段２の取付部分の横断面図であり、また、図１（ｂ）では見えていないが、この咬合器１に顎模型３が固定保持されている状態の横断面図である。
【００２２】
この歯科咬合器１の基本的な構造は、図１１の従来例の歯科咬合器１０１と同じであり、上顎支持体１ａと下顎支持体１ｂとをヒンジ（図では見えていない。）で連結し、上顎支持体１ａと下顎支持体１ｂとが相互にヒンジを中心として回動して人体の顎の開閉運動を近似的に再現できるようになっており、この支持体１ａ、１ｂに固定保持された顎模型３に植え立てられた義歯ＦＳの咬合調整、咬合矯正をすることができる。
【００２３】
この歯科咬合器１が、図１１の従来例の歯科咬合器１０１と異なる点は、上顎支持体１ａと下顎支持体１ｂにはそれぞれ磁石４が設けられ、これに対応して顎模型３、ここでは、上顎模型３ａには、磁石４で吸着される吸着体５が設けられており、これらの磁石４と吸着体５との間の磁力により両者が固着され、これにより上顎支持体１ａに上顎模型３ａが固定保持されている点である。
【００２４】
このような構造において、この歯科咬合器１には、磁力により固着された上顎支持体１ａと上顎模型３ａとのうち、上顎模型３ａだけを上顎支持体１ａに対して、遠ざけるように移動させる離脱手段２を設けている点を特徴とする。
【００２５】
この離脱手段２は、上顎支持体１ａの厚さ方向に貫通した貫通孔１ａａにスライド可能に挿嵌される離脱ピン２ａ、この離脱ピン２ａに付勢力を与える板バネ２ｂ、この板バネ２ｂの一端を上顎支持体１ａに固定しているビス２ｃから構成されている。
【００２６】
離脱ピン２ａは、所定形状に屈曲させた板バネ２ｂによって、図示するように離脱ピン２ａの先端が貫通孔１ａａから突出しないような位置を維持するように支えられ、この位置からずれると元に位置に戻るような付勢力が与えられている。
【００２７】
このような離脱手段２は、いわゆるピン式と呼ばれるもので、離脱ピン２ａを指などで推し下げるだけで、そのピンの先端が上顎模型３ａの吸着板５に当接し、この吸着板５が上顎支持体１ａの磁石４から離れるように、つまり、遠ざかるようにする。こうして、磁石４と吸着板５の間に隙間が生じると、双方間の磁力は急速に小さくなり、離脱ピン２ａのわずかな推し下げで、上顎模型３ａを上顎支持体１ａから、簡単かつ迅速に離脱させることができる。また、別個に工具などを必要としないので便利である。
【００２８】
なお、図１（ｂ）では、下顎支持体１ｂの貫通孔１ｂａも見えている。
【００２９】
図２（ａ）、（ｂ）は本発明の歯科咬合器の他例を示す要部横断図である。これより、既に説明した部分と同じ部分については、同じ符号を付して重複説明を省略する。
【００３０】
図２（ａ）の歯科咬合器１Ａは、図１の歯科咬合器１に比べ、離脱手段２Ａの構成だけが異なっている。
【００３１】
つまり、この歯科咬合器１Ａに設けられた離脱手段２Ａは、テコ式と呼ぶことができるもので、上顎模型３ａの貫通孔１ａａに挿嵌されスライドする離脱ピン２ｄ、この離脱ピン２ｄに係合し、かつ、上顎模型３ａ上の支点２ｅａを中心にテコ運動をして、この離脱ピン２ｄを貫通孔１ａａに挿嵌された状態でスライドさせるテコ２ｅと、このテコ２ｅを図１の歯科咬合器１の離脱手段２の板バネ２ｂと同様に、所定位置に保持しながら付勢力を与えるバネ２ｆとから構成されている。
【００３２】
このような構成であっても、離脱手段２Ａのテコ２ｅを推し下げることで、上顎模型３ａを上顎支持体１ａから、簡単かつ迅速に離脱させることができる。また、テコ２ｅの支点２ｅａから離脱ピン２ｄまでの距離と、テコ２ｅを推し下げる力を加える位置、つまり、テコ２ｅの支点２ｅａに対する反対端までの距離とを変化させることにより、テコ２ｅの推し下げに必要な力と推し下げ量を適正なものに調整することができる。
【００３３】
図２（ｂ）の歯科咬合器１Ｂも、図１の歯科咬合器１に比べ、離脱手段２Ｂの構成だけが異なっている。
【００３４】
つまり、この歯科咬合器１Ｂに設けられた離脱手段２Ｂは、スライド式と呼ぶことができるもので、上顎模型３ａのスライド溝１ａｂに挿嵌されスライドするスライド体２ｇ、このスライド体２ｇを図１の歯科咬合器１の離脱手段２の板バネ２ｂと同様に、所定位置に保持しながら付勢力を与えるバネ２ｈとから構成されている。このスライド体２ｇは、その一面が上顎模型３ａの吸着体５に面しており、平坦部２ｇａと勾配部２ｇｂとから成り、この勾配部２ｇｂが吸着体５に当接すると、次第に吸着体５を上顎支持体１ａの磁石４から遠ざけさせるようになっている。
【００３５】
このような構成であっても、離脱手段２Ｂのスライド体２ｇをスライドさせることで、上顎模型３ａを上顎支持体１ａから、簡単かつ迅速に離脱させることができる。また、スライド体２ｇの勾配部２ｇｂの勾配を適宜調整することによって、スライド体２ｇをスライドさせるのに必要な力とスライド量を適正なものに調整することができる。
【００３６】
図３（ａ）、（ｂ）は本発明の歯科咬合器の他例を示す要部横断図、（ｃ）は（ａ）の部分拡大図である。
【００３７】
図３（ａ）の歯科咬合器１Ｃは、図１の歯科咬合器１に比べ、離脱手段２Ｃの構成だけが異なっている。
【００３８】
ここで、図３（ｃ）の部分拡大図で示すように、磁石４は、実際には、鉄製の磁石容器４ｂの中に、磁石体４ａが収容された構造となっており、磁石容器４ｂの端面と吸着体５とが当接することで、磁石４と吸着体５の当接固着が達成されるようになっている。また、この際、磁石体４ａの表面は、吸着体５には当接せず、わずかな隙間Ｓを形成するようになっている。
【００３９】
このようにすると、磁石４と吸着体５の固着がより強力になると共に、通常砕けやすい性質を持つ磁性体で構成されている磁石体４ａが磁石容器４ｂで保護され、また、磁石体４ａの表面が吸着体５に当接しないので、磁石４と吸着体５の当接により、磁石体４ａが損傷を受けるようなことがない。
【００４０】
一方、磁石容器４ｂの吸着体５側を開放しているのは、磁石容器４ｂの端面と吸着体５とが当接した際には、これら両者で磁石体４ａで励起される磁場のループを形成して、強力な磁力を発生させると共に、磁石容器４ｂの端面と吸着体５とがわずかでも離間した場合には、磁場のループが遮断されることにより、急激にこの磁場による磁力を低下させるからである。
【００４１】
このような磁石４の構成は、既に、図１、２で説明したものでも同様である。
【００４２】
この歯科咬合器１Ｃの離脱手段２Ｃは、図１、２のものと異なり、上顎模型３ａ側の吸着体５を移動させて遠ざけるのではなく、このような構成の磁石４の方を引っ込ませることで、上顎模型３ａ側の吸着体５と上顎支持体１ａ側の磁石４とを遠ざけるものである。
【００４３】
つまり、離脱手段２Ｃは、上顎支持体１ａの段付き貫通孔１ａｃに収容された磁石４の磁石容器４ｂの底外面から延出された離脱ピン２ｉ、この離脱ピン２ｉに係合し支点２ｊａを中心にテコ運動をするテコ２ｊ、このテコ２ｊを図１の歯科咬合器１の離脱手段２の板バネ２ｂと同様に、所定位置に保持しながら付勢力を与えるバネ２ｋとから構成されている。
【００４４】
このような構成であっても、離脱手段２Ｃのテコ２ｊの操作端２ｊｂを推し下げることで、磁石４を段付き貫通孔１ａｃ内で引き込ませ、磁石４を上顎模型３ａの吸着体５に対して遠ざけることができ、上顎模型３ａを上顎支持体１ａから、簡単かつ迅速に離脱させることができる。
【００４５】
また、この場合も、テコ２ｊの支点２ｊａから離脱ピン２ｉまでの距離と、テコ２ｊの操作端２ｊｂまでの距離とを変化させることにより、テコ２ｊの推し下げに必要な力と推し下げ量を適正なものに調整することができる。
【００４６】
図３（ｂ）の歯科咬合器１Ｄは、図３（ａ）の歯科咬合器１Ｃに比べ、磁石４の方を引き込ませる点は同一であるが、離脱手段２Ｄの構成は異なり、この構成には、図２（ｂ）の歯科咬合器１Ｂに設けられた離脱手段２Ｂのスライド式に近いものである。
【００４７】
つまり、離脱手段２Ｄは、磁石４の磁石容器４ｂの底外面から延出された離脱ピン２ｌ、上顎支持体１ａのスライド溝１ａｄ内をスライドし、この離脱ピン２ｌに勾配係合するスライド体２ｍ、このスライド体２ｍを図１の歯科咬合器１の離脱手段２の板バネ２ｂと同様に、所定位置に保持しながら付勢力を与えるバネ２ｎとから構成されている。
【００４８】
このような構成であっても、離脱手段２Ｄのスライド体２ｍをスライドさせることで、上顎模型３ａを上顎支持体１ａから、簡単かつ迅速に離脱させることができる。また、スライド体２ｍの勾配を適宜調整することによって、スライド体２ｍをスライドさせるのに必要な力とスライド量を適正なものに調整することができる。
【００４９】
図４は、本発明の歯科咬合器と、これに固定保持される顎模型とを示す外観図である。
【００５０】
この図に示した歯科咬合器１は、図１に示したものを同じものであり、上顎支持体１ａ、下顎支持体１ｂと、これらに取り付けられる上顎模型３ａ、下顎模型３ｂ（それぞれ裏面、つまり、支持体１ａ、１ｂへの取付側がみえている。）が対となって示され、この部分の構造が良く解る。
【００５１】
この裏面に見える複数の符号ＦＳＳは、顎模型３ａ，３ｂに植立てられる義歯ＦＳを固定するための義歯固定ビスである。
【００５２】
図５（ａ）、（ｂ）は本発明の歯科咬合器の他例を示す要部横断図である。
【００５３】
これらの歯科咬合器１Ｅ、１Ｆ、これらに固定保持される顎模型３Ａ（３ｃ）が、これまでのものに比べ、大きく異なる点は、磁石４Ａが顎模型３Ａ側に設置され、これに対応して、吸着体５Ａが歯科咬合器１Ｅ、１Ｆの支持体１ａ側に設置されている点である。
【００５４】
この相違点は、磁力を発生する磁石とこれに吸着される吸着体の設置側を、相互にこの磁力で固定保持される支持体と顎模型の間で入れ換えただけであり、その他の構造は、これまでのものと変わりはなく、また、同様の効果を発揮するものである。
【００５５】
また、ここに示した歯科咬合器１Ｅは、図１の歯科咬合器１の磁石と吸着体を入れ換えたもの、歯科咬合器１Ｆは、図３（ａ）の歯科咬合器１Ｃの磁石と吸着体を入れ換えたものに相当するが、これら以外の歯科咬合器１Ａ，１Ｂ，１Ｄについても、同様の入れ換えが可能である。
【００５６】
図６は、本発明の歯科頭部模型の一例を示す外観図、図７は、図６の歯科頭部模型の顔面部を開いた状態を示す外観図である。
【００５７】
この歯科頭部模型１０は、図１の歯科咬合器１に、開閉式の取付ブラケット６ｄを用いて、頬カバー６ｂを備えた顔面部６ａを取付け、また、後頭部６ｃを取付けたもので、これらの付加部を頭部模型用付加部６と称する。
【００５８】
このような歯科頭部模型１０は、歯科咬合器１と同様の効果を頭部模型１０として発揮する。また、歯科咬合器１の替わりに、これまで説明した歯科咬合器１Ａ、１Ｂ、１Ｃ、１Ｄ、１Ｅ、１Ｆのいずれも用いることができ、その場合には、それぞれの咬合器の効果を頭部模型として発揮する。
【００５９】
また、顔面部６ａは、随時に図７に示すように開けることができ、また、これを閉じたときには、図６に示すように、実際の人体頭部の外観に近いものとなるので、これを用いる術者、あるいは、歯科実習者は、人体頭部に近く感覚を以て、義歯の咬合調整、咬合矯正、あるいは、これらの実習を行うことができる。
【００６０】
図８は、本発明の歯科実習台の一例を示す外観正面図、図９は、図８の歯科実習台の外観側面図である。
【００６１】
この歯科実習台２０は、実習机１２に取付られた胴体模型１１に、図６、７の頭部模型１０を位置調整可能に取り付けたもので、診療機器１３、技工機器１４、診療機器１３用のフートコントローラ１５、技工機器１４用のフートコントローラ１６、照明灯１７などを備え、歯科診療実習、歯科技工実習の双方を行うことができるが、その場合にも、図１の歯科咬合器１を用いているので、この咬合器１の効果を歯科実習台２０として発揮する。
【００６２】
また、歯科咬合器１の替わりに、これまで説明した歯科咬合器１Ａ、１Ｂ、１Ｃ、１Ｄ、１Ｅ、１Ｆのいずれも用いることができ、その場合には、それぞれの咬合器の効果を歯科実習台として発揮する。
【００６３】
また、この歯科実習台２０は、同じ構成の実習机１２を対面して、また、左右に連結して設け、これに、同様の付属機器を備えているので、実習スペースをコンパクトに利用することができる。
【００６４】
図１０は、本発明の歯科実習台の他例を示す外観斜視図である。
【００６５】
この歯科実習台２０Ａは、図９の歯科実習台２０と同様に、歯科咬合器１を用いた歯科頭部模型１０を備えたものであるが、歯科実習台２０が、歯科診療実習、歯科技工実習の双方を行うことができるものであるのに対し、歯科診療実習だけをより実地に近い感覚で行えるように構成したものである。
【００６６】
このため、胴体模型１１Ａは、実際の歯科診療台に仰臥した患者の胴体を模したものとなっており、また、この胴体模型１１Ａは、実際の歯科診療台の椅子のように上下昇降可能な台座１２Ａに設置されている。
【００６７】
また、この歯科実習台２０Ａには、実際の歯科診療台に備えられているトレーテーブル１８が設けられ、診療機器１３もより実際に近い配置で設置されている。
【００６８】
こうして、この歯科実習台２０Ａは、診療実習をより実際に近い感覚で行うことができると共に、歯科咬合器１を用いているので、この歯科咬合器１の効果を、歯科実習台２０Ａとして発揮する。
【００６９】
また、歯科咬合器１の替わりに、これまで説明した歯科咬合器１Ａ、１Ｂ、１Ｃ、１Ｄ、１Ｅ、１Ｆのいずれも用いることができ、その場合には、それぞれの咬合器の効果を歯科実習台として発揮する。
【００７０】
【発明の効果】
請求項１から４に記載の歯科咬合器によれば、磁力で固定保持された顎模型を咬合器から離脱させる離脱手段を設けているので、別個に工具を必要とせず、簡単かつ迅速に顎模型の着脱交換ができる。
【００７１】
請求項５及び６に記載の歯科咬合器によれば、請求項１から４の効果に加え、離脱手段が歯科咬合器に設けられている点では同じであるが、その離脱手段内容を、磁石とこの磁石に吸着される吸着体とが顎模型、咬合器のいずれに装着されているかの咬合器と顎模型の態様に合わせ、磁石あるいは吸着体のいずれか一方を動かし、他方を移動させないで、両者を遠ざけることにより、磁力を弱め、これによって、顎模型と歯科咬合器を離脱させるようにしている点で相互に異なっている。しかしながら、効果としはいずれも請求項１から４と同様に、別個に工具を必要とせず、簡単かつ迅速に顎模型の着脱交換ができる点では共通している。
【００７２】
請求項７に記載の歯科頭部模型によれば、請求項１から６のいずれかに記載の歯科咬合器を用いたので、これらの歯科咬合器の効果を歯科頭部模型として発揮する。
【００７３】
請求項８に記載の歯科実習台は、請求項１から６のいずれかに記載の歯科咬合器を用いたので、これらの歯科咬合器の効果を歯科実習台として発揮する。
【図面の簡単な説明】
【図１】  （ａ）は本発明の歯科咬合器の一例を示す要部横断図、（ｂ）は外観図
【図２】  （ａ）、（ｂ）は本発明の歯科咬合器の他例を示す要部横断図
【図３】  （ａ）、（ｂ）は本発明の歯科咬合器の他例を示す要部横断図、（ｃ）は（ａ）の部分拡大図
【図４】  本発明の歯科咬合器と、これに固定保持される顎模型とを示す外観図
【図５】  （ａ）、（ｂ）は本発明の歯科咬合器の他例を示す要部横断図
【図６】  本発明の歯科頭部模型の一例を示す外観図
【図７】  図６の歯科頭部模型の顔面部を開いた状態を示す外観図
【図８】  本発明の歯科実習台の一例を示す外観正面図
【図９】  図８の歯科実習台の外観側面図
【図１０】  本発明の歯科実習台の他例を示す外観斜視図
【図１１】  従来の歯科咬合器の一例を示す縦断面図
【符号の説明】
１            歯科咬合器
２            離脱手段
３            顎模型
４            磁石
５            吸着体
１０            歯科頭部模型
２０            歯科実習台
【図１】
0003835597.tif 000002
【図２】
0003835597.tif 000003
【図３】
0003835597.tif 000004
【図４】
0003835597.tif 000005
【図５】
0003835597.tif 000006
【図６】
0003835597.tif 000007
【図７】
0003835597.tif 000008
【図８】
0003835597.tif 000009
【図９】
0003835597.tif 000010
【図１０】
0003835597.tif 000011
【図１１】
0003835597.tif 000012